(57)【特許請求の範囲】
【請求項１】
口頸部５を起立する容器体１と、
上記口頸部外面へ嵌合させた注出筒12付きキャップ状部材10とからなり、
上記容器体口頸部の下端部には、上向き段部６を周設して、口頸部外面一部を外方へ張出しさせることで上向き段部６上面の複数箇所から小山状部７, ７をほぼ等間隔に起立させると共に、
口頸部５の上部外面には係合突条８を周設させ、更に、上記該係合突条と小山状部７, ７との間の口頸部部分外面へは、上方から見て小山状部７よりも横巾が大でかつ張出し巾を小とする隆起部９, ９を付形しておき、
又上記キャップ状部材の口頸部嵌合用筒部分11内面には、上記係合突条８下面へ係合する小山状部７と同数の横条17をほぼ等間隔に横設すると共に、これ等横条の中間部から縦条18を垂下させ、かつ各縦条下方の口頸部嵌合用筒部分11の下端面部分からは、上記小山状部７間に位置させて逆小山状部19を垂下させておき、
上記容器体１に対してキャップ状部材10を回動させたとき、縦条18が隆起部９外面へ乗り上げることで、係合突条８下面に対する横条17の係合巾が減少し、続いて逆小山状部19が小山状部７上へ乗り上げることで、横条17が係合突条８を乗越え可能に形成した
ことを特徴とする合成樹脂製容器。
【請求項２】
上記注出筒12を弾性変形可能に形成し、かつ上記口頸部嵌合用筒部分11外面のほぼ全体にカバー筒20を遊嵌させて該カバー筒の上端内面を口頸部嵌合用筒部分の上部外面へ複数の破断片21, 21を介して一体に結合させ、これ等破断片を破断してカバー筒20を除去しない限りキャップ状部材10の回動が不能に形成し、
又キャップ状部材の注出筒12下端を破断除去可能なプルリング15付き閉塞壁13で密閉した
ことを特徴とする請求項１記載の合成樹脂製容器。
【発明の詳細な説明】
【０００１】
【発明の属する技術分野】
本発明は、容器体口頸部の外面へ注出筒付きキャップ状部材を嵌合させた合成樹脂製容器に関する。
【０００２】
【従来の技術】
従来、容器体口頸部嵌合用の装着筒上端から内向きフランジ状頂壁を介して注出筒を起立すると共に、該注出筒の下端をプルリング付きの閉塞壁で密閉したキャップ状部材を容器体口頸部の外面に嵌合させた容器が周知であり、該従来容器では、容器体口頸部外面と装着筒内面とに装着筒抜け止め用の凹凸の係合手段を設けて、流通過程で注出キャップが容器体口頸部から悪戯目的等で取り外されることを防止するよう形成している。
【０００３】
【発明が解決しようとする課題】
近時、資源再利用等の見地から、ペットボトル等の廃棄物を分別して廃棄することが要望されているが、従来容器では、容器体口頸部からキャップ状部材を取り外すことが極めて困難であるため、キャップ状部材を装着させたままペットボトルが廃棄されているのが現状であった。
【０００４】
本発明は、装着筒抜け止め用の係合手段を、容器体口頸部に対する装着筒の回動によって容易に外すことができるよう形成することで、容器体とキャップ状部材を簡単に分別廃棄できるよう設けた。
【０００５】
【課題を解決するための手段】
第１の手段として、口頸部５を起立する容器体１と、
上記口頸部外面へ嵌合させた注出筒12付きキャップ状部材10とからなり、
上記容器体口頸部の下端部には、上向き段部６を周設して、口頸部外面一部を外方へ張出しさせることで上向き段部６上面の複数箇所から小山状部７, ７をほぼ等間隔に起立させると共に、
口頸部５の上部外面には係合突条８を周設させ、更に、上記該係合突条と小山状部７, ７との間の口頸部部分外面へは、上方から見て小山状部７よりも横巾が大でかつ張出し巾を小とする隆起部９, ９を付形しておき、
又上記キャップ状部材の口頸部嵌合用筒部分11内面には、上記係合突条８下面へ係合する小山状部７と同数の横条17をほぼ等間隔に横設すると共に、これ等横条の中間部から縦条18を垂下させ、かつ各縦条下方の口頸部嵌合用筒部分11下端面からは、上記小山状部７間に位置させて逆小山状部19を垂下させておき、
上記容器体１に対してキャップ状部材10を回動させたとき、縦条18が隆起部９外面へ乗り上げることで、係合突条８下面に対する横条17の係合巾が減少し、続いて逆小山状部19が小山状部７上へ乗り上げることで、横条17が係合突条８を乗越え可能に形成した。
【０００６】
第２の手段として、第１の手段を有すると共に、注出筒12を弾性変形可能に形成し、かつ口頸部嵌合用筒部分11外面のほぼ全体にカバー筒20を遊嵌させて該カバー筒の上端内面を口頸部嵌合用筒部分の上部外面へ複数の破断片21, 21を介して一体に結合させ、これ等破断片を破断してカバー筒20を除去しない限りキャップ状部材10の回動が不能に形成し、
又キャップ状部材の注出筒12下端を破断除去可能なプルリング15付き閉塞壁13で密閉した。
【０００７】
【発明の実施の形態】
１は容器体であり、該容器体は、胴部２上端部を小外径として、該小外径部の下部に係合凹部３を周設すると共に、その小外径部上端から肩部４を介して起立する口頸部５の下端部に上向き段部６を周設し、かつ口頸部５の下部外面を外方へ張出しすることで、図１のように上向き段部６上面の複数箇所から小山状部７, ７をほぼ等間隔に起立している。又口頸部５の上部外面には、係合突条８を周設し、該係合突条と上記各小山状部７, ７との間の口頸部部分外面に、上方から見て小山状部７, ７よりも横巾が大でかつ張出し巾を小とする、上面を凸状彎曲面とした隆起部９, ９を付形させている。
【０００８】
10は、容器体口頸部へ装着させるキャップ状部材であり、先ず、公知の部分から説明すると、該部材は、口頸部嵌合用の筒部分11を有し、該口頸部嵌合用筒部分の上端から内向きフランジ状頂壁を介して注出筒12を起立し、かつ該注出筒の下端を密閉する閉塞壁13の外周に肉薄破断線14を周設すると共に、該肉薄破断線が囲む閉塞壁部分の側部上面からプルリング15付きの支柱部16を起立し、プルリング引上げにより、肉薄破断線14を破断させて、外周部を除いた閉塞壁部分を取り除いて注出孔を開口させるよう形成している。
【０００９】
本発明では、上記注出筒12を口頸部嵌合用筒部分11に比して薄肉に形成して弾性変形可能となし、上記口頸部嵌合用筒部分11が注出筒12を介して回動されることを、該注出筒が弾性変形して阻止するよう設けている。
【００１０】
又本発明では、上記口頸部嵌合用筒部分11の下部を大内径として、該大内径部11ａ上方の筒壁部分内面を上記口頸部５の上部外面に嵌合させ、又上記大内径部11ａ直ぐ上方の筒壁部分内面に、上記小山状部７, ７と同数の横条17をほぼ等間隔に横設して、これ等横条の上面を上記係合突条８下面へ係合させている。更に、本発明では、それ等横条17の長手方向中間下方の筒壁外面部分に縦条18を設け、かつ各縦条下方の口頸部嵌合用筒部分11の下端面部分から、上記小山状部７, ７間に位置させて逆小山状部19を垂下させ、図３ａ, ｂが示す状態から、口頸部に対して口頸部嵌合用筒部分11を回動させたとき、図４ｂが示すように縦条18下部が上記隆起部９外面へ乗り上げることで、図４ａのように口頸部の係合突条８下面に対する横条17の係合巾が減少し、又該状態から口頸部嵌合用筒部分11を更に回動させると、図５ｂが示すように逆小山状部19が小山状部７上へ乗り上げることで、図５ａのように横条17が係合突条８を乗越え可能に形成している。
【００１１】
20はカバー筒であり、該カバー筒は、上記口頸部嵌合用筒部分11外面のほぼ全体に遊嵌させて該嵌合用筒部分を握持して回動することを阻止するよう設けると共に、該カバー筒の上端内面を口頸部嵌合用筒部分11の上部外面へ複数の破断片21を介して一体に結合させ、該カバー筒を回動させると、カバー筒が弾性変形して上記破断片21が破断されるよう設けている。
【００１２】
30はキャップであり、頂壁31周縁から垂設した周壁32の下端部を容器体胴部上方の小外径部外面へ嵌合させて、該小外径部外方の周壁部分下部に周設した係合突起33を既述係合凹部３へ係脱自在に係合させ、又頂壁31の下面中央部から垂下したシール筒34外面を上記注出筒12の上部内面へ水密に嵌合させている。該キャップは、必要に応じて形成する。
【００１３】
上記容器体は、例えば、ポリエチレンテレフタレートで成形し、又キャップ状部材10とカバー筒20は、ポリエチレンテレフタレート以外の合成樹脂材で一体成形すればよい。
【００１４】
本発明容器を廃棄する場合には、容器体とキャップ状部材10を分別して廃棄するものとし、先ず、図２が示す状態から、破断片21をねじ切ってカバー筒20を取り外し、次いで、口頸部に対して口頸部嵌合用筒部分11を回動させると、図４ｂが示すように、縦条18が口頸部の隆起部９外面へ乗り上げるため、嵌合用筒部分11の一部が外方へ押圧されて弾性変形し、よって、図４ａのように口頸部の係合突条８下面に対する横条17の係合巾が減少することとなる。又該状態から口頸部嵌合用筒部分11を更に回動させると、図５ｂが示すように、逆小山状部19が小山状部７上へ乗り上げるため、口頸部嵌合用筒部分11が押上げられて、図５ａのように横条17が係合突条８を乗越えることとなり、よって、口頸部嵌合用筒部分11を口頸部から引き抜いて、キャップ状部材10と容器体を分別廃棄する。
【００１５】
【発明の効果】
本発明は、請求項１記載の構造としたから、図３が示す状態から、口頸部に対して口頸部嵌合用筒部分11を回動させることで、既述のように、係合突条８下面に対する横条17の係合巾を減少させることができ、又小山状部７上面の斜面を利用して口頸部嵌合用筒部分11を押上げることで、係合突条８下面から横条17を容易に離脱させることができ、よって、容器体からキャップ状部材10を簡単に取り外して分別廃棄することができる。
【００１６】
請求項２記載の構造としたから、破断片21を破断させてカバー筒20を除去しない限り、口頸部嵌合用筒部分11を口頸部から抜き出すことができないこととなり、よって、悪戯目的等でのキャップ状部材10の不正取り外しを効果的に防止できる。
【図面の簡単な説明】
【図１】  本発明容器の一実施形態を示す分解斜視図である。
【図２】  同実施形態の縦断面図である。
【図３】  ａ図は、同実施形態の要部拡大縦断面図、ｂ図は、同実施形態の要部拡大展開図である。
【図４】  縦条が隆起部外面へ乗り上げた状態を説明する図であり、ａ図は、要部拡大縦断面図、ｂ図は、要部拡大展開図である。
【図５】  横条が係合突条を乗越えた状態を説明する図であり、ａ図は、要部拡大縦断面図、ｂ図は、要部拡大展開図である。
【符号の説明】
７…小山状部  ９…隆起部  10…キャップ状部材
17…横条  18…縦条  19…逆小山状部  20…カバー筒
【図１】
0003868704.tif 000002
【図２】
0003868704.tif 000003
【図３】
0003868704.tif 000004
【図４】
0003868704.tif 000005
【図５】
0003868704.tif 000006